(57)【要約】      （修正有）【課題】上前の衿の位置決めを簡便に行うことができる着付け用ベルトを提供する。【解決手段】両端にフック部材を有するベルト２１と、２つのループ部材と、を備え、一方のループ部材は、着物１の上前１ａの衿１ｃよりも脇線側の内側に取付け可能であり、一方のフックが係合されるとともに、他方のループ部材２３は、ベルトもしくは着物の下前１ｂの衿１ｄよりも脇線側の外側に取付け可能であり、他方のフック部材２５が係合される。【選択図】図６
0003225156.tif 000002
【実用新案登録請求の範囲】
【請求項１】
両端にフック部材を有するベルトと、２つのループ部材と、を備え、
一方のループ部材は、着物の上前の衿よりも脇線側の内側に取付け可能であり、一方のフックが係合されるとともに、
他方のループ部材は、前記ベルトもしくは着物の下前の衿よりも脇線側の外側に取付け可能であり、他方のフック部材が係合されることを特徴とする着付け用ベルト。
【請求項２】
前記他方のループ部材は前記下前の衿よりも脇線側の外側に取付けられることを特徴とする請求項１に記載の着付け用ベルト。
【請求項３】
前記他方のループ部材は前記ベルトに取付けられることを特徴とする請求項１に記載の着付け用ベルト。
【請求項４】
両端にループ部材を有するベルトと、２つのフック部材と、を備え、
一方のフック部材は、着物の上前の衿よりも脇線側の内側に取付け可能であり、一方のループ部材に係合されるとともに、
他方のフック部材は、前記ベルトもしくは着物の下前の衿よりも脇線側の外側に取付け可能であり、他方のループ部材が係合されることを特徴とする着付け用ベルト。
【請求項５】
前記ループ部材は伸縮性を有することを特徴とする請求項１ないし４のいずれかに記載の着付け用ベルト。
【請求項６】
前記ベルトは伸縮性を有することを特徴とする請求項１ないし５のいずれかに記載の着付け用ベルト。
【請求項７】
前記フック部材は平板状を成すことを特徴とする請求項１ないし６のいずれかに記載の着付け用ベルト。
【請求項８】
前記フック部材は金属製であることを特徴とする請求項１ないし７のいずれかに記載の着付け用ベルト。
【考案の詳細な説明】
【技術分野】
【０００１】
本考案は、上前と下前の衿の位置を固定する着付け用ベルトに関する。
【背景技術】
【０００２】
着物は、日本の民族衣装として、従来から冠婚葬祭等の様々な場所で着用されている。着物を着るときには、該着物を身体に纏い着丈を合わせた後、衿を位置合わせして着付け用ベルトを身体に巻き付けることにより着物を身体に仮固定し、その後帯を締めることが行われている。この着付け用ベルトの締め付けにより、着物の衿を身体に対して位置決めすることができるとともに、衿の着崩れを抑制できるようになっている。
【０００３】
特許文献１に示される着付け用ベルトは、伸縮性を有する帯状を成し、一端がループ状を成し、他端にはフック形状の金具が取付けられている。この着付け用ベルトは、該着付け用ベルトの長手方向中央部分が上前の衿先に固定できるようになっており、該着付け用ベルトの両端を互いに逆方向に向かって引き回し、ループ状の一端に他端の金具を係合させることで、身体に装着することができるようになっている。
【先行技術文献】
【特許文献】
【０００４】
【特許文献１】特開２０１３−２０２１号公報（第８頁、第１図）
【考案の概要】
【考案が解決しようとする課題】
【０００５】
特許文献１の着付け用ベルトにあっては、その中央部分が上前の衿先に固定されているので、着物に対する着付け用ベルトの上下位置を固定できるとともに、着付け用ベルトと着物との一体感が増し、衿の着崩れを長時間抑制できるようになっている。しかしながら、特許文献１の着付け用ベルトは、該着付け用ベルトを身体に周回させるときに、着付け用ベルトが固定された上前の衿先が引っ張られて移動するので、着付け用ベルトの長さや引っ張り具合によって上前の衿の位置が左右されてしまい、上前の衿を適正な位置に位置決めすることが煩雑であった。
【０００６】
本考案は、このような問題点に着目してなされたもので、上前の衿の位置決めを簡便に行うことができる着付け用ベルトを提供することを目的とする。
【課題を解決するための手段】
【０００７】
前記課題を解決するために、本考案の着付け用ベルトは、
両端にフック部材を有するベルトと、２つのループ部材と、を備え、
一方のループ部材は、着物の上前の衿よりも脇線側の内側に取付け可能であり、一方のフック部材が係合されるとともに、
他方のループ部材は、前記ベルトもしくは着物の下前の衿よりも脇線側の外側に取付け可能であり、他方のフック部材が係合されることを特徴としている。
この特徴によれば、一方のループ部材は上前の衿よりも脇線側の内側に取付けられているので、一方のループ部材に一方のフック部材を係合させてベルトを身体に沿って周回させるときに上前の衿先が直接引っ張られず、上前の衿を自由に位置調整することができ、他方のループ部材に他方のフック部材を係合させることで上前の衿の位置決めを簡便に行うことができる。
【０００８】
前記他方のループ部材は前記下前の衿よりも脇線側の外側に取付けられることを特徴としている。
この特徴によれば、両端のフック部材が係合する２つのループ部材が着物に対して取付けられるので、着付け用ベルトと着物との一体感が向上する。
【０００９】
前記他方のループ部材は前記ベルトに取付けられることを特徴としている。
この特徴によれば、他方のループ部材がベルトに取付けられるので、着物の表面を傷つけにくい。
【００１０】
両端にループ部材を有するベルトと、２つのフック部材と、を備え、
一方のフック部材は、着物の上前の衿よりも脇線側の内側に取付け可能であり、一方のループ部材に係合されるとともに、
他方のフック部材は、前記ベルトもしくは着物の下前の衿よりも脇線側の外側に取付け可能であり、他方のループ部材が係合されることを特徴としている。
この特徴によれば、一方のフック部材は上前の衿よりも脇線側の内側に取付けられているので、一方のフック部材に一方のループ部材を係合させてベルトを身体に沿って周回させるときに上前の衿先が直接引っ張られず、上前の衿を自由に位置調整することができ、他方のフック部材に他方のループ部材を係合させることで上前の衿の位置決めを簡便に行うことができる。
【００１１】
前記ループ部材は伸縮性を有することを特徴としている。
この特徴によれば、フック部材とループ部材との係合を簡便に行うことができるとともに、適度な締め付け力を得ることができる。
【００１２】
前記ベルトは伸縮性を有することを特徴としている。
この特徴によれば、ベルトとループ部材が相互に伸縮するのでフック部材とループ部材との係合を簡便に行うことができるとともに、適度な締め付け力を得ることができる。
【００１３】
前記フック部材は平板状を成すことを特徴としている。
この特徴によれば、フック部材が身体に対して面で当接するので、付け心地が向上する。
【００１４】
前記フック部材は金属製であることを特徴としている。
この特徴によれば、フック部材の変形や破損を抑制できる。
【図面の簡単な説明】
【００１５】
【図１】本考案の実施例１における着付け用ベルトを用いて着付けした着物の一例を示す全体図である。
【図２】実施例１における着付け用ベルトを示す斜視図である。
【図３】ループ部材を着物に取付けた状態を示す説明図である。
【図４】一方のフック部材を一方のループ部材に係止させた状態を示す説明図である。
【図５】図４の状態からベルトを引き回した状態を示す説明図である。
【図６】他方のフック部材を他方のループ部材に係止させた状態を示す説明図である。
【図７】本考案の実施例２における着付け用ベルトを示す斜視図である。
【図８】実施例２における着付け用ベルトを装着した状態を示す説明図である。
【図９】本考案の実施例３における着付け用ベルトを示す斜視図である。
【考案を実施するための形態】
【００１６】
本考案に係る着付け用ベルトを実施するための形態を実施例に基づいて以下に説明する。
【実施例１】
【００１７】
実施例１に係る着付け用ベルトにつき、図１から図６を参照して説明する。尚、着用した際に身体側に来る方を内側とし、その反対側（裏側）を外側と記載する。
【００１８】
図１の符号１は、身頃の脇の身八つ口が設けられていない男性用の着物１である。この着物１を身体に纏い、着丈を合わせた後、後述する着付け用ベルト２（図２参照）を巻き付けて着物１を身体に仮固定し、その上から帯４を装着することにより着付けされるようになっている。以降、着付け用ベルト２について説明する。
【００１９】
図２に示されるように、着付け用ベルト２は、ベルト２１と、２つのループ部材２２，２３と、から主に構成されている。このベルト２１は、帯状のゴム紐であり、伸縮性を有しており、長手方向両端にはフック部材２４，２５が取付けられている。詳しくは、ベルト２１は、一端側（フック部材２４側）が該ベルト２１の中央部側に折り返され、長さ調整部２６により留められて輪っかを構成しており、該輪っかの折返し部分のベルト２１にフック部材２４の基部が挿通されて取付けられている。また、ベルト２１の他端も小さく折り返して縫い付けられて輪っか状を成しており、その折返し部分のベルト２１にフック部材２５の基部が挿通されて取付けられている。ベルト２１は、長さ調整部２６を操作することでベルト２１全体の長さを調整できるようになっている。
【００２０】
また、フック部材２４，２５は、金属製の平板状を成しており、ベルト２１の長手方向と直交する係合片２４ａ，２５ａを有している。また、ループ部材２２，２３は、帯状のゴム紐をリング状にしたものであり、伸縮性を有している。また、ループ部材２２，２３の外周面には、安全ピン２２ａ，２３ａが取付けられている。
【００２１】
次に、着付け用ベルト２を用いて着物１を身体に仮固定する手順について図３〜図６を用いて説明する。尚、図４〜図６では、説明の便宜上、着用者の身体の図示を省略している。
【００２２】
先ず、図３に示されるように、ループ部材２２，２３を着物１に取付ける。詳しくは、一方のループ部材２２は、着物１の上前１ａの衿１ｃよりも着用者から見て左側（正面から見て右側）の内側、具体的には、上前１ａの内側における着用者から見て左側の脇線１ｅ付近に安全ピン２２ａにより取付けられる。また、他方のループ部材２３は、着物１の下前１ｂの衿１ｄよりも着用者から見て右側（正面から見て左側）の外側、具体的には、下前１ｂの外側における着用者から見て右側の脇線１ｆ付近に安全ピン２３ａにより取付けられる。尚、ループ部材２２，２３は両端の開口が上下方向を向くように着物１に取付けられる。
【００２３】
次いで、図４に示されるように、着丈を合わせた後、一方のフック部材２４の係合片２４ａを一方のループ部材２２に係合させるとともに、下前１ｂの衿１ｄを適正な位置に調整してベルト２１の他方のフック部材２５側を下前１ｂの外側、後身頃の外側へと身体に沿って引き回す（着用者から見て時計回りに引き回す）。ベルト２１及びループ部材２２は帯状のゴム紐で構成され伸縮するので、ベルト２１を身体に沿って引き回しやすい。
【００２４】
次に、図５に示されるように、上前１ａの衿１ｃを適正な位置に調整してベルト２１の他方のフック部材２５側を後身頃から上前１ａの外側へと身体に沿って引き回す。そして、図６に示されるように、他方のフック部材２５の係合片２５ａを他方のループ部材２３に係合させる。これにより、上前１ａの衿１ｃ及び下前１ｂの衿１ｄが適正な位置で身体に対して仮固定される。
【００２５】
以上説明したように、一方のループ部材２２は、着物１の上前１ａの衿１ｃよりも着用者から見て左側の脇線１ｅ側に取付けられているので、一方のループ部材２２に一方のフック部材２４を係合させベルト２１を身体に沿って周回させるときに、ベルト２１を引っ張る力が上前１ａの衿１ｃに作用しない。すなわち、ベルト２１を上前１ａの外側に引き回すまでは、上前１ａの衿１ｃの位置を自由に調整することができ、他方のループ部材２３に他方のフック部材２５を係合させることで上前１ａの衿１ｃの位置決めを簡便に行うことができる。
【００２６】
また、一方のループ部材２２に一方のフック部材２４を係合させ、下前１ｂの衿１ｄを適正な位置に調整した後にベルト２１を後身頃側に引き回すことで、下前１ｂの衿１ｄを手で押さえていなくても下前１ｂの衿１ｄを簡便に位置決めすることができる。また、ベルト２１を着用者から見て時計回りに引き回す一連の動作で下前１ｂの衿１ｄ、上前１ａの衿１ｃの順で身体に対して簡便に仮固定できる。
【００２７】
また、下前１ｂの外側、後身頃の外側、上前１ａの外側の順でベルト２１を周回させることで上前１ａの衿１ｃ及び下前１ｂの衿１ｄの位置決めができるので、例えば、一端のクリップを下前１ｂの衿１ｄに固定し、着用者から見て左側の身八つ口を通して後身頃の外側、下前１ｂの外側に引き回し、他端のクリップを上前１ａの衿１ｃに固定するような従来の着付け用ベルト等に比べて、上前１ａの衿１ｃ及び下前１ｂの衿１ｄの位置決めを簡便に行うことができる。また、本実施例の着付け用ベルト２は、上記のような従来の着付け用ベルト等と異なり、身八つ口が設けられていない男性用の着物１であっても利用できる。
【００２８】
また、他方のループ部材２３は下前１ｂの衿１ｄよりも脇線１ｆ側の外側に取付けられる。これによれば、両端のフック部材２４，２５が係合する２つのループ部材２２，２３が着物１に対して取付けられるので、着付け用ベルト２と着物１との一体感が向上し、着物１に対して着付け用ベルト２の上下位置がずれにくい。
【００２９】
また、ループ部材２２，２３には安全ピン２２ａ，２３ａが取付けられており、安全ピン２２ａ，２３ａにより着物１に対してループ部材２２，２３が取付け可能となっている。これによれば、着物１に対してループ部材２２，２３の取付位置を変更することで、着用者の体型や着丈に合わせてベルト２１の上下位置やベルト２１による締め付け力などを簡便に調整することができる。
【００３０】
また、ループ部材２２，２３は、帯状のゴム紐で構成され伸縮するので、ループ部材２２，２３が伸長させてループ部材２２，２３とフック部材２４，２５との係合やベルト２１の引き回し作業を簡便に行うことができるとともに、着付け用ベルト２を装着した状態において、ループ部材２２，２３が収縮することで身体に対する適度な締め付け力を得ることができる。
【００３１】
また、ベルト２１は伸縮性を有するので、ベルト２１を伸長させてループ部材２２，２３とフック部材２４，２５との係合やベルト２１の引き回し作業を簡便に行うことができるとともに、着付け用ベルト２を装着した状態において、ベルト２１が収縮することで身体に対する適度な締め付け力を得ることができる。さらに、ループ部材２２，２３とベルト２１とがともに伸縮するので、ループ部材２２，２３とフック部材２４，２５との係合やベルト２１の引き回し作業をさらに簡便に行うことができ、且つ締め付け力もさらに良好となる。また、ベルト２１が伸縮性を有さない場合に比べて、着付け用ベルト２の付け心地が向上する。
【００３２】
また、フック部材２４，２５は平板状を成しており、着付け用ベルト２を装着時には、フック部材２４，２５の広い面積を有する部分が身体側を向くようになっている。これによれば、フック部材２４，２５が身体に対して面当接するので、身体への食い込みなどが低減され付け心地が向上する。尚、身体への食い込みや着物１への引っ掛かり等を低減させるために、フック部材２４，２５の角部や縁部は面取り加工されていることが好ましい。
【００３３】
また、フック部材２４，２５は、金属製であり、剛性を有しているので、フック部材２４，２５が変形したり破損することを抑制できる。尚、フック部材２４，２５は、金属製に限られず、木製や合成樹脂製等であってもよいが、ある程度剛性を有していることが好ましい。
【００３４】
尚、本実施例では、ループ部材２２，２３及びベルト２１がともに伸縮性を有する形態を例示したが、着付け用ベルト２の装着時に上前１ａの衿１ｃ及び下前１ｂの衿１ｄの位置を仮固定できる程度の締め付け力を得ることができれば、ループ部材２２，２３及びベルト２１の少なくとも一方が伸縮性を有していてもよいし、ループ部材２２，２３及びベルト２１が特段伸縮性を有していなくてもよい。
【００３５】
また、本実施例では、ループ部材２２，２３に対してフック部材２４の係合片２４ａ及びフック部材２５の係合片２５ａを上方から挿入して係合させる形態を例示したが、これに限られず、下方から係合させるようになっていてもよい。
【００３６】
また、本実施例では、ループ部材２２，２３の両端の開口が上下方向を向くように着物１に取付けられる形態を例示したが、これに限られず、例えばループ部材２２，２３の両端の開口が略水平方向を向くように取付け、フック部材２４の係合片２４ａ及びフック部材２５の係合片２５ａを側方から係合させるようにしてもよい。
【実施例２】
【００３７】
次に、実施例２に係る着付け用ベルトにつき、図７及び図８を参照して説明する。尚、前記実施例と同一構成で重複する構成の説明を省略する。
【００３８】
図７に示されるように、着付け用ベルト２００は、ベルト２１と、ループ部材２２と、他方のフック部材２５が係合する留め具２０１と、から主に構成されている。留め具２０１は、金属製であり、略水平方向に貫通しベルト２１を挿通可能な挿通部２０２と、上下方向に貫通する貫通部２０３と、を備えている。また、留め具２０１は、挿通部２０２によりベルト２１の長手方向に位置調整可能となっている。
【００３９】
図８に示されるように、前記実施例１と同様にループ部材２２に一方のフック部材２４の係合片２４ａを係合させるとともに、下前１ｂの外側、後身頃の外側、上前１ａの外側の順でベルト２１を周回させ、留め具２０１の貫通部２０３に他方のフック部材２５の係合片２５ａを係合させることにより、着付け用ベルト２００により着物１を身体に仮固定することができる。すなわち、本実施例２における留め具２０１は他方のループ部材として機能している。尚、このとき、ベルト２１の締め付け力により留め具２０１が身体に押し付けられるので、留め具２０１がベルト２１に沿って移動することが規制されている。
【００４０】
このように、他方のループ部材としての留め具２０１がベルト２１に取付けられるので、留め具２０１により着物１の表面が傷つけられることが防止される。また、留め具２０１は、ベルト２１に沿って移動可能であるため、ベルト２１の締め付け力等を調整しやすい。なお、留め具２０１を用いずに、ベルト２１の一部（例えば図７の留め具２０１の取り付け位置）を小さく折り返し、折り返した部分を安全ピンで留めたり縫い付けたりしてベルト２１の一部で貫通部を形成するようにしてもよく、その場合は貫通部の位置が固定されるため、予め長さ調整部２６で長さを調節して使用する。
【実施例３】
【００４１】
次に、実施例３に係る着付け用ベルトにつき、図９を参照して説明する。尚、前記実施例と同一構成で重複する構成の説明を省略する。
【００４２】
図９に示されるように、着付け用ベルト３００は、両端にループ部３０１，３０２を有するベルト３１０と、２つのフック部材３０３，３０４と、から主に構成されている。フック部材３０３，３０４の基部には、ゴム紐である取付帯３０５，３０６の一端が取付けられており、取付帯３０５，３０６の他端には安全ピン３０７，３０８が取付けられている。
【００４３】
一方のフック部材３０３は、上前１ａの内側における着用者から見て左側の脇線１ｅ付近（前記実施例１のループ部材２２と同様の位置）に安全ピン３０７により取付けられ、他方のフック部材３０４は、下前１ｂの外側における着用者から見て右側の脇線１ｆ付近（前記実施例１のループ部材２３と同様の位置）に安全ピン３０８により取付けられるようになっている。また、ベルト３１０の一方のループ部３０１は、一方のフック部材３０３に係合可能となっており、ベルト３１０の他方のループ部３０２は、他方のフック部材３０４に係止可能となっている。
【００４４】
これによれば、一方のフック部材３０３は、着物１の上前１ａの衿１ｃよりも着用者から見て左側の脇線１ｅ側に取付けられているので、一方のフック部材３０３に一方のループ部３０１を係合させベルト３１０を身体に沿って周回させるときに、ベルト３１０を引っ張る力が上前１ａの衿１ｃに作用しない。すなわち、ベルト３１０を上前１ａの外側に引き回すまでは、上前１ａの衿１ｃの位置を自由に調整することができるので、上前１ａの衿１ｃの位置決めを簡便に行うことができる。また、ベルト３１０を身体に沿って周回させるときに、ベルト３１０及び取付帯３０５，３０６が伸縮するので、ベルト３１０の引き回し作業を簡便に行うことができるとともに、身体に対する適度な締め付け力を得ることができる。尚、他方のフック部材３０４はベルト３１０に取付けられていてもよい。
【００４５】
以上、本考案の実施例を図面により説明してきたが、具体的な構成はこれら実施例に限られるものではなく、本考案の要旨を逸脱しない範囲における変更や追加があっても本考案に含まれる。
【００４６】
例えば、前記実施例１，２では、男性用の着物１の着付けに対して着付け用ベルト２，２００を利用する形態を例示したが、女性用の着物に利用してもよい。女性用の着物に利用する場合には、おはしょりを形成した後に着付け用ベルト２，２００を用いて上前１ａの衿１ｃ及び下前１ｂの衿１ｄの位置を仮固定するようにすればよい。
【００４７】
また、前記実施例１，２の着付け用ベルト２，２００は、着物１に限られず、長襦袢の着付け時に利用されるようになっていてもよい。
【００４８】
また、前記実施例１，２では、ループ部材２２，２３が安全ピン２２ａ，２３ａにより着物１に対して着脱可能となっていたが、ループ部材２２，２３は面ファスナやボタン等により着物１に対して着脱可能に取付けられるようになっていてもよいし、着物１に対して縫い付け固定されていてもよい。
【符号の説明】
【００４９】
１                着物
１ａ              上前
１ｂ              下前
１ｃ              衿
１ｄ              衿
１ｅ              脇線
１ｆ              脇線
２                着付け用ベルト
２１              ベルト
２２              一方のループ部材
２３              他方のループ部材
２４              一方のフック部材
２４ａ            係合片
２５              他方のフック部材
２５ａ            係合片
２００            着付け用ベルト
２０１            留め具（他方のループ部材）
３００            着付け用ベルト
３０１            一方のループ部
３０２            他方のループ部
３０３            一方のフック部材
３０４            他方のフック部材
３１０            ベルト
【図１】
0003225156.tif 000003
【図２】
0003225156.tif 000004
【図３】
0003225156.tif 000005
【図４】
0003225156.tif 000006
【図５】
0003225156.tif 000007
【図６】
0003225156.tif 000008
【図７】
0003225156.tif 000009
【図８】
0003225156.tif 000010
【図９】
0003225156.tif 000011